(57)【要約】      （修正有）【課題】空気穴の機能により、各紙片間に空気が溜まりにくくなるため、各紙片に皺が寄りにくくなり、ずれを防止するとともに、新聞回収等の際の嵩張りも少なくする。【解決手段】折曲帯部６を介して二区分した一枚の紙片２，５を複数枚順次重ねた紙片群１をその折曲帯部６で折りたたんだ新聞において、折曲帯部６により互いに折りたたんだ一枚の表側紙片２の表紙部３と裏紙部４との間で、折曲帯部６により互いに折りたたんだ内側紙片５を一枚以上挟み込み、表側紙片２の折曲帯部６と内側紙片５の折曲帯部６とに空気穴７を形成している。【選択図】図１
0003134733.tif 000002
【実用新案登録請求の範囲】
【請求項１】
折曲帯部を介して二区分した一枚の紙片を複数枚順次重ねた紙片群をその折曲帯部で折りたたんだ新聞において、折曲帯部により互いに折りたたんだ一枚の表側紙片の表紙部と裏紙部との間で、折曲帯部により互いに折りたたんだ内側紙片を一枚以上挟み込み、表側紙片の折曲帯部と内側紙片の折曲帯部とに空気穴を形成したことを特徴とする新聞。
【請求項２】
折曲帯部を介して二区分した一枚の紙片を複数枚順次重ねた紙片群をその折曲帯部で折りたたんだ新聞において、折曲帯部により互いに折りたたんだ一枚の表側紙片の表紙部と裏紙部との間で、折曲帯部により互いに折りたたんだ内側紙片を一枚以上挟み込み、内側紙片の折曲帯部のみに空気穴を形成したことを特徴とする新聞。
【請求項３】
前記空気穴は、折曲帯部の折線よりも内側で折線に隣接して形成されていることを特徴とする請求項１または請求項２に記載の新聞。
【請求項４】
前記空気穴は、折曲帯部の折線を分断するように形成されていることを特徴とする請求項１または請求項２に記載の新聞。
【請求項５】
前記空気穴は、折曲帯部の延びる方向の両側で形成されていることを特徴とする請求項１から請求項４のうちいずれかの請求項に記載の新聞。
【考案の詳細な説明】
【技術分野】
【０００１】
本考案は新聞に関するものである。
【背景技術】
【０００２】
従来の新聞において紙片群は、折曲帯部を介して二区分された一枚の紙片（一枚の表側紙片と複数枚の内側紙片）が複数枚順次重ねられ、それらの折曲帯部で折りたたまれてこの表側紙片の表紙部と裏紙部との間でこの各内側紙片が挟み込まれる。
【考案の開示】
【考案が解決しようとする課題】
【０００３】
従来の新聞においては、各紙片が薄く軽いため、各紙片を捲る際に空気を各紙片間に巻き込み易くなり、しかも空気の巻込量が多くなり過ぎると、各紙片の重量や手による押し出し力により空気を各紙片間から押し出すことが難しくなるため、各紙片間に空気が溜まり易い。そのため、各紙片を捲った後に互いに重ねると、溜まった空気により各紙片が持ち上がって各紙片に皺が寄り易くなり、各紙片が互いにずれたりして読みにくくなって不快な思いをするとともに、新聞回収等の際に嵩張り易くなる。なお、各紙片が互いにずれないように各折曲帯部をホッチキス針などにより止めることはあるが、各紙片間に空気が溜まり易い問題点は解消することができない。
【０００４】
この考案は、このような問題点を解消することを目的としている。
【課題を解決するための手段】
【０００５】
後記実施形態の図面（図１に示す第１実施形態、図２に示す第２実施形態、図３に示す第３実施形態）の符号を援用して本考案を説明する。
請求項１の考案に係る新聞は、第１，２実施形態に対応し、下記のように構成されている。
【０００６】
この新聞は、広義に解釈し、折曲帯部６を介して二区分した一枚の紙片２，５を複数枚順次重ねた紙片群１をその折曲帯部６で折りたたんだものであって、狭義の新聞に類似するものも含む。このような新聞において、折曲帯部６により互いに折りたたんだ一枚の表側紙片２の表紙部３と裏紙部４との間で、折曲帯部６により互いに折りたたんだ内側紙片５を一枚以上挟み込み、表側紙片２の折曲帯部６と内側紙片５の折曲帯部６とに空気穴７を形成している。
【０００７】
請求項２の考案に係る新聞は、第３実施形態に対応し、下記のように構成されている。
この新聞は、広義に解釈し、折曲帯部６を介して二区分した一枚の紙片２，５を複数枚順次重ねた紙片群１をその折曲帯部６で折りたたんだものであって、狭義の新聞に類似するものも含む。このような新聞において、折曲帯部６により互いに折りたたんだ一枚の表側紙片２の表紙部３と裏紙部４との間で、折曲帯部６により互いに折りたたんだ内側紙片５を一枚以上挟み込み、内側紙片５の折曲帯部６のみに空気穴７を形成した。
【０００８】
請求項１または請求項２の考案を前提とする請求項３の考案（第１，３実施形態に対応）において、前記空気穴７は、折曲帯部６の折線６ａよりも内側で折線６ａに隣接して形成されている。
【０００９】
請求項１または請求項２の考案を前提とする請求項４の考案（第２実施形態に対応）において、前記空気穴７は、折曲帯部６の折線６ａを分断するように形成されている。
請求項１から請求項４のうちいずれかの請求項の考案を前提とする請求項５の考案（第１〜３実施形態に対応）において、前記空気穴７は、折曲帯部６の延びる方向の両側で形成されている。
【考案の効果】
【００１０】
本考案は、空気穴７の機能により、各紙片２，５間に空気が溜まりにくくなるため、各紙片２，５に皺が寄りにくくなって各紙片２，５間のずれを防止することができるとともに、新聞回収等の際の嵩張りも少なくすることができる。
【考案を実施するための最良の形態】
【００１１】
まず、本考案の第１実施形態にかかる新聞について図１を参照して説明する。
この新聞において紙片群１は、折曲帯部６を介して二区分された一枚の紙片（一枚の表側紙片２と複数枚の内側紙片５）が複数枚順次重ねられ、それらの折曲帯部６で折りたたまれてこの表側紙片２の表紙部３と裏紙部４との間でこの各内側紙片５が挟み込まれる。この表側紙片２の折曲帯部６と各内側紙片５の折曲帯部６とには各折曲帯部６の延設方向の中央位置よりも上側と下側とでそれぞれ空気穴７が各折曲帯部６の折線６ａよりも内側で折線６ａに隣接して各折曲帯部６を貫通するように形成されている。各折曲帯部６の空気穴７はそれぞれ互いに重なって連通して一つの空気穴群になっている。なお、二以上の空気穴７を各折曲帯部６の延設方向に沿って適宜間隔で配設してもよい。
【００１２】
図２に示す本考案の第２実施形態にかかる新聞については、前記各空気穴７が各折曲帯部６の折線６ａを分断するように形成されている点で、第１実施形態と異なる。
第１，２実施形態では、各紙片２，５を捲った後に互いに重ねて手で押すと、各紙片２，５を捲る際に各紙片２，５間に巻き込まれた空気が各空気穴７からも各紙片２，５間の外側へ押し出され易くなり、各紙片２，５間に空気が溜まりにくくなる。そのため、各紙片２，５に皺が寄りにくくなって各紙片２，５間のずれを防止することができるとともに、新聞回収等の際の嵩張りも少なくすることができる。
【００１３】
図３に示す本考案の第３実施形態にかかる新聞については、前記各空気穴７が各内側紙片５の折曲帯部６のみに形成されている点で、第１実施形態と異なる。
第３実施形態では、各紙片２，５を捲った後に互いに重ねて手で押すと、各紙片２，５を捲る際に各紙片２，５間に巻き込まれた空気のうち各内側紙片５間に巻き込まれた空気が各空気穴７からも表側紙片２の表紙部３及び裏紙部４の内側へまず押し出され、その後に表側紙片２の表紙部３及び裏紙部４の内側から各紙片２，５間の外側へ押し出され易くなり、各紙片２，５間に空気が溜まりにくくなる。そのため、各紙片２，５に皺が寄りにくくなって各紙片２，５間のずれを防止することができるとともに、新聞回収等の際の嵩張りも少なくすることができる。また、紙片群１を閉じた状態では、各内側紙片５の各空気穴７が表側紙片２の表紙部３及び裏紙部４の外側から見えない。
【００１４】
図示しないが、第２実施形態の別例または第３実施形態の別例として、前記各空気穴７を各内側紙片５の折曲帯部６のみに各折曲帯部６の折線６ａを分断するように形成してもよい。また、図示しないが、第１〜３実施形態においては、折曲帯部６を介して二区分された一枚の紙片（一枚の表側紙片２と複数枚の内側紙片５）以外に、その紙片の半分の大きさであって折曲帯部のない内側紙片を表側紙片２の表紙部３と裏紙部４との間で挟み込んでもよい。
【図面の簡単な説明】
【００１５】
【図１】（ａ）は第１実施形態にかかる新聞を閉じてその表側紙片の表紙部側から見た平面図であり、（ｂ）はこの新聞を閉じてその表側紙片の裏紙部側から見た底面図であり、（ｃ）はこの新聞を開いてその内側紙片を見た平面図であり、（ｄ）（ｅ）はこの新聞において折曲帯部を介して二区分した一枚の紙片を複数枚順次重ねた紙片群を説明するための図である。
【図２】（ａ）は第２実施形態にかかる新聞を閉じてその表側紙片の表紙部側から見た平面図であり、（ｂ）はこの新聞を閉じてその表側紙片の裏紙部側から見た底面図であり、（ｃ）はこの新聞を開いてその内側紙片を見た平面図である。
【図３】（ａ）は第３実施形態にかかる新聞を閉じてその表側紙片の表紙部側から見た平面図であり、（ｂ）はこの新聞を閉じてその表側紙片の裏紙部側から見た底面図であり、（ｃ）はこの新聞において（ａ）の状態からその表側紙片の表紙部を開いてその内側紙片を見た平面図であり、（ｄ）はこの新聞において（ｂ）の状態からその表側紙片の裏紙部を開いてその内側紙片を見た平面図であり、（ｅ）はこの新聞を開いてその内側紙片を見た平面図である。
【符号の説明】
【００１６】
１…紙片群、２…表側紙片、３…表側紙片の表紙部、４…表側紙片の裏紙部、５…内側紙片、６…折曲帯部、６ａ…折曲帯部の折線、７…空気穴。
【図１】
0003134733.tif 000003
【図２】
0003134733.tif 000004
【図３】
0003134733.tif 000005